(57)【要約】【課題】エレベータ利用者を２種類以上に分類して、各種類の利用者に対してセキュリティ機能や自動運転機能を含む効果的なエレベータ運行が提供できるエレベータセキュリティシステムを提供する。【解決手段】エレベータの乗場又はかご内の少なくとも一方を撮影するためのカメラ１と、エレベータ利用者の顔画像を少なくとも２種類以上に分類して保存した顔画像記憶装置８と、前記カメラで撮影された映像から抽出したエレベータ利用者の顔画像を前記顔画像記憶装置の顔画像と照合してエレベータ利用者の分類を識別し、識別結果によりエレベータの呼び登録を制御するシステム制御装置７と、を備えた。エレベータ利用者を、特定利用者、利用禁止者、これら以外のエレベータ利用者に分類し、それぞれの制御を行う。【選択図】図１
2008127158.tif 000002
【特許請求の範囲】
【請求項１】
エレベータの乗場又はかご内の少なくとも一方を撮影するためのカメラと、
エレベータ利用者の顔画像を少なくとも２種類以上に分類して保存した顔画像記憶装置と、
前記カメラで撮影された映像から抽出したエレベータ利用者の顔画像を前記顔画像記憶装置の顔画像と照合してエレベータ利用者の分類を識別し、識別結果によりエレベータの呼び登録を制御するシステム制御装置と、
を備えたことを特徴とするエレベータセキュリティシステム。
【請求項２】
エレベータの乗場又はかご内の少なくとも一方を撮影するためのカメラと、
エレベータ利用者の顔画像を特定利用者と利用禁止者に分類して保存し、特定利用者は利用情報を付加して顔画像を保存する顔画像記憶装置と、
呼び登録機器からの呼び登録に関する情報の伝送制御を行う呼び登録制御装置と、
前記カメラで撮影された映像から抽出したエレベータ利用者の顔画像を前記顔画像記憶装置の顔画像と照合してエレベータ利用者の分類を識別し、識別結果により前記呼び登録制御装置を制御し、特定利用者と分類された場合は利用情報に従った呼び登録を自動登録させ、利用禁止者と分類された場合は呼び登録を不能にし、前記分類以外のエレベータ利用者と分類された場合は前記呼び登録制御装置に対してなにもしないシステム制御装置と、
を備えたことを特徴とするエレベータセキュリティシステム。
【請求項３】
前記システム制御装置と通信可能に接続され、カメラからの映像および顔画像記憶装置の顔画像をモニタする表示部及び指令及び顔画像編集データを送る指示をするための操作部を具備した遠隔管理装置をさらに備え、
前記システム制御装置が、前記遠隔管理装置からのそれぞれの要求指令に対して、カメラからの映像および顔画像記憶装置の顔画像の少なくとも一方を送信し、前記遠隔管理装置からの顔画像編集データに従い、前記顔画像記憶装置の顔画像の更新、新規登録、登録解除を行うことを特徴とする請求項１又は２に記載のエレベータセキュリティシステム。
【請求項４】
エレベータ利用者に対してアナウンスを行うアナウンス装置を制御するアナウンス指令制御装置をさらに備え、
前記システム制御装置が、エレベータ利用者が利用禁止者と識別された場合に、警告アナウンスを発報するためのアナウンス指令を前記アナウンス指令制御装置に出力し、
前記アナウンス指令制御装置が、エレベータ制御盤から入力されるアナウンス指令によるエレベータアナウンスを阻害することなく警告アナウンスを発報するようアナウンス装置を制御することを特徴とする請求項２に記載のエレベータセキュリティシステム。
【請求項５】
前記顔画像に付属した利用情報が行先階を含むことを特徴とする請求項２に記載のエレベータセキュリティシステム。
【請求項６】
前記システム制御装置が、抽出された顔画像を全て前記顔画像記憶装置に記憶し、前記特定利用者と利用禁止者に分類された顔画像は保存されている顔画像と入れ替え、前記分類以外の顔画像データは所定期間経過したら消去することを特微とする請求項２から５までのいずれか１項に記載のエレベータセキュリティシステム。
【発明の詳細な説明】
【技術分野】
【０００１】
この発明はエレベータにセキュリティ機能を与えるためのエレベータセキュリティシステムに関する。
【背景技術】
【０００２】
従来の一般的なエレベータは、エレベータ乗場の扉の近傍に設けられているエレベータ乗場呼び釦が利用者により押されると、エレベータかごを乗場呼び釦が押された階に移動させ、エレベータかごが該階に到着し、利用者がエレベータかごに乗り込んだ後、エレベータかご内に設けられるエレベータかご操作盤の行先階登録釦が操作されると、操作された行先階登録釦に対応する行先階にエレベータかごを移動させる。
【０００３】
また下記特許文献１には、カメラと画像処理装置と映像記録装置と音声信号発生器を備え、メッセージにより顔画像の撮影を促して顔画像を確実に撮影するとともに、顔画像が撮影された場合に、顔画像に基づいて予め登録されている特定者に対してエレベータかご操作盤の行先階登録を許可するシステムが開示されている。
【０００４】
この技術によれば、カメラによる顔画像撮影により、予め登録された特定者以外はエレベータかご内からの行先階登録ができないようにすることができる。
【０００５】
また下記特許文献２には、例えば、カメラと顔画像検出部を備え、乗場で正面顔画像が撮影されるとエレベータ乗場呼び釦を押すことなくエレベータの乗場呼びが自動的に行われると共に、特定者を記憶する各種対応部と顔認識部を備え、特定者であることを識別したら、かご操作盤の行先階登録釦を操作することなく自動的にエレベータの行先階を登録するシステムが開示されている。
【０００６】
この技術によれば、カメラによる顔画像撮影により、特定者はエレベータ乗場呼び釦およびエレベータかご操作盤の行先階登録釦を一切操作する必要なくエレベータを利用できると共に、不特定者もエレベータ乗場呼び釦を操作することなくエレベータかごを自階に呼び出すことができる。
【０００７】
また下記特許文献３には、顔面識別装置を備え、それにより識別される特定者のみエレベータかごを自階に呼び寄せ、またその特定者のみエレベータかご操作盤の行先階登録釦を操作して所定の行先階にエレベータを移動させることができるシステムが開示されている。
【０００８】
この技術によれば、顔面識別装置により特定者を識別し、特定者に該当しない不特定者はエレベータを操作できないようにできる。
【０００９】
【特許文献１】特開２００５−２５５２７４号公報
【特許文献２】特開２００５−３０６５８４号公報
【特許文献３】実開平５−２６９６７号公報
【発明の開示】
【発明が解決しようとする課題】
【００１０】
しかしながら、上記特許文献１では、予め登録された特定者以外はエレベータが利用できないため、特定者に該当しない訪問客などはエレベータを利用することができず、また、かご内に設置されるシステム構成となっているため、特定者でなくともエレベータ乗場の呼び釦によるエレベータの自階への呼びは可能となってしまうという課題があった。
【００１１】
また上記特許文献２では、不特定者でもエレベータの呼び出し、行先階登録ができるため、不特定者に含まれる不審者でもエレベータを利用することができ、不審者のエレベータ利用を防ぐことはできないという課題があった。
【００１２】
また上記特許文献３では、特定者のみにエレベータの利用を許可するシステムであり、不審者のエレベータ利用を防ぐことはできても、特定者に該当しない訪問客などはエレベータを利用することができないという課題があった。
【００１３】
さらに、上記各特許文献では、いずれも既に登録された顔画像データをベースとしたシステムであり、期間が経つにつれ、顔画像データを新たに登録したり、書き換えたり、削除したりする(以下、顔画像データ更新)必要があるが、これらを自動で行う機能は設けられていないため、人手により行う必要があった。
【００１４】
この発明は上記の課題を解消するためになされたもので、エレベータ利用者を２種類以上に分類して、各種類の利用者に対してセキュリティ機能や自動運転機能を含む効果的なエレベータ運行が提供できるエレベータセキュリティシステムを提供することを目的とする。
【課題を解決するための手段】
【００１５】
この発明は、エレベータの乗場又はかご内の少なくとも一方を撮影するためのカメラと、エレベータ利用者の顔画像を少なくとも２種類以上に分類して保存した顔画像記憶装置と、前記カメラで撮影された映像から抽出したエレベータ利用者の顔画像を前記顔画像記憶装置の顔画像と照合してエレベータ利用者の分類を識別し、識別結果によりエレベータの呼び登録を制御するシステム制御装置と、を備えたことを特徴とするエレベータセキュリティシステムにある。
【００１６】
また、エレベータの乗場又はかご内の少なくとも一方を撮影するためのカメラと、エレベータ利用者の顔画像を特定利用者と利用禁止者に分類して保存し、特定利用者は利用情報を付加して顔画像を保存する顔画像記憶装置と、呼び登録機器からの呼び登録に関する情報の伝送制御を行う呼び登録制御装置と、前記カメラで撮影された映像から抽出したエレベータ利用者の顔画像を前記顔画像記憶装置の顔画像と照合してエレベータ利用者の分類を識別し、識別結果により前記呼び登録制御装置を制御し、特定利用者と分類された場合は利用情報に従った呼び登録を自動登録させ、利用禁止者と分類された場合は呼び登録を不能にし、前記分類以外のエレベータ利用者と分類された場合は前記呼び登録制御装置に対してなにもしないシステム制御装置と、を備えたことを特徴とするエレベータセキュリティシステムにある。
【発明の効果】
【００１７】
この発明においては、エレベータ利用者を、２種類以上、好ましくは特定利用者、利用禁止者、一般訪問者の３種類に分け、各種類に対してセキュリティ機能や自動運転機能を有する効果的なエレベータ運行を提供することができる。
【発明を実施するための最良の形態】
【００１８】
実施の形態１．
図１はこの発明の一実施の形態によるエレベータセキュリティシステムの構成を示すブロック図である。カメラ１は、エレベータの乗場又はかご内を撮影して映像信号として出力する。モニタ２は、映像信号を入力して映像を画面表示する。アナウンス装置３は、アナウンス指令に基づきエレベータ利用者に対してアナウンスを発報する。呼び登録機器４は、各乗場に設けられるエレベータかごの呼び釦(かご操作盤と同じような構成となる乗場操作盤の釦もこれに該当する)である乗場呼び釦及びかご内に設けられるかご操作盤の行先階登録釦であるかご操作盤釦からなる。
【００１９】
エレベータ制御盤５は、エレベータを制御する制御盤である。映像入出力Ｉ／Ｆ６は、カメラ１からの映像信号を入力し、またシステム制御装置７及びモニタ２に映像信号を出力するインターフェースである。システム制御装置７は、エレベータセキュリティシステムの全体的な制御を行い、映像入出力Ｉ／Ｆ６からの映像信号やシステム遠隔管理装置１１からの指令等を入力して、これらに基づき各種指令、制御信号を出力したり、映像信号や顔面像データの入出力や編集等を一元的に行う。
【００２０】
顔画像記憶装置８は、特定利用者顔画像記憶領域８ａ、利用禁止者顔画像記憶領域８ｂ、全利用者顔画像記憶領域８ｃを含み、それぞれエレベータの利用が予め許可されている利用者、エレベータの利用が予め禁止されている利用者、利用者全員、の顔画像を記憶する。アナウンス指令制御装置９は、エレベータ制御盤５及びシステム制御装置７からの複数のアナウンス指令を入力してアナウンス装置３を制御する。呼び登録制御装置１０は、乗場呼び釦やかご操作盤釦からなる呼び登録機器４とエレベータ制御盤５との間の通信線に挿入され、制御信号に基づいて呼び登録に関する信号を制御する。システム遠隔管理装置１１は、パーソナルコンピュータで構成され、エレベータから離れた場所からエレベータセキュリティシステムの管理を行う。
【００２１】
なお、一点鎖線で示す部分Ｃは、エレベータセキュリティシステムの制御部分を示す。また、システム制御装置７、アナウンス指令制御装置９、呼び登録制御装置１０はコンピュータで構成される。これらはまとめて１つのコンピュータで構成することも可能である。
【００２２】
また、カメラ１、モニタ２、アナウンス装置３はエレベータの乗場やかご内等に設けられる。呼び登録機器４は乗場やかご内に設けられる。エレベータ制御盤５、映像入出力Ｉ／Ｆ６、システム制御装置７、顔画像記憶装置８、アナウンス指令制御装置９、呼び登録制御装置１０は例えばエレベータの近傍に設けられている。そしてシステム遠隔管理装置１１はエレベータから離れた建物内、又はエレベータが設置された建物から離れた場所、例えば製造会社や保守会社等に設けられている。
【００２３】
図２はエレベータセキュリティシステムの主に自動呼び制御及び警報アナウンス発報に関する動作の一例を示す動作フローチャートである。また図３は図２に続くシステム遠隔管理装置からの指令に基づくカメラ映像信号の送信や顔画像記憶装置に記憶されている顔画像データの編集に関する動作の一例を示す動作フローチャートである。
【００２４】
以下、図２に従ってエレベータセキュリティシステムの動作を説明する。映像入出力Ｉ／Ｆ６は、カメラ１から出力される映像信号をモニタ２に出力するとともにシステム制御装置７にも出力する。システム制御装置７は、カメラ１で撮影した映像信号を元に人物の顔画像を抽出するが、エレベータ利用者の人物画像は撮影できても顔画像を抽出できないときは(ステップＳ１、Ｓ２)、アナウンス指令制御装置９に対して誘導アナウンスを発報するようにアナウンス指令を出力して、エレベータ利用者をカメラ映像から顔画像を抽出できる位置に移動するよう誘導する(ステップＳ３)。
【００２５】
顔画像が抽出できたら(ステップＳ４)、アナウンス指令制御装置９に対して顔画像撮影完了のアナウンスを発報するように指令を出力して、エレベータ利用者に対して顔画像を撮影したことを知らせる(ステップＳ５)。
【００２６】
そして、その撮影した顔画像データを顔画像記憶装置８の全利用者顔画像記憶領域８ｃに保存する(ステップＳ６)。さらに、その顔画像データが顔画像記憶装置８の特定利用者顔画像記憶領域８ａ及び利用禁止者顔画像記憶領域８ｂに保存されている顔画像データと合致するかどうかを識別する。特定利用者顔画像記憶領域８ａの顔画像データと合致した場合(ステップＳ７)、その顔画像データに付随して利用情報として記憶されている該利用者の行先階情報(たとえば００ｈ〜ＦＦｈで表現され、０８ｈならば行先階は８階)を読み取り、その行先階情報を制御信号として呼び登録制御装置１０に出力する。
【００２７】
ここで呼び登録機器４からの呼び登録に関する情報の伝送制御を行う呼び登録制御装置１０について説明すると、呼び登録制御装置１０は、システム制御装置７から出力される制御信号に基づいて動作する装置であり、制御信号が無い場合は呼び登録機器４とエレベータ制御盤５の間の単なる呼び登録に関する情報である釦関連情報信号(釦接点情報、釦灯制御情報)のＩ／Ｆとして動作し、制御は何もせず、エレベータは通常の動作をする。
【００２８】
システム制御装置７から顔画像の識別による特定利用者の行先階情報となる制御信号が出力された場合、それに基づいてエレベータ制御盤５に対してエレベータの行先階登録情報を出力する。このときエレベータ制御盤５から乗場呼び釦又はかご操作盤釦である呼び登録機器４に対して前記行先階情報に対応した釦灯制御情報が出力されるが、これについては通常のＩ／Ｆとして動作して制御は何もせず、釦灯を点灯させる。これにより乗場呼び釦又はかご操作盤釦の釦灯制御は通常通り機能するとともに、エレベータ行先階の自動登録が行われる。
【００２９】
システム制御装置７から利用禁止者の顔画像を識別して呼び釦を無効とする制御信号が出力された場合、呼び登録機器４とエレベータ制御盤５間の通信を遮断し、エレベータのかご呼び登録ができないようにして、エレベータが機能しないようにする。
【００３０】
従って、図２のステップＳ７で特定利用者顔画像記憶領域８ａの顔画像データと合致した場合、顔画像記憶装置８の格納情報に基づくシステム制御装置７からの特定利用者の乗場情報と行先階情報に基づきエレベータ制御盤５に対して乗場呼び登録と行先階呼び登録が行われる(ステップＳ８)。なお、利用情報として乗場情報と行先階情報の双方を含み、利用者情報に基づき乗場呼び登録と行先階呼び登録を行ってもよいが、いずれか一方を利用情報として含み、他方は呼び登録機器４からの釦接点情報から得て、それぞれの呼び登録を行うようにしてもよい。
【００３１】
一方、利用禁止者顔画像記憶領域８ｂの顔画像データと合致した場合(ステップＳ９)、呼び登録機器４からの釦接点情報を無効にする制御信号を呼び登録制御装置１０に出力するとともに(ステップＳ１０)、カメラ１からの映像信号に基づいてその利用禁止者がいなくなるまでアナウンス指令制御装置９に対して警告アナウンスを発報するように指令を出力して、その利用禁止者をエレベータから遠ざけるようにする(ステップＳ１１)。
【００３２】
特定利用者顔画像記憶領域８ａ及び利用禁止者顔画像記憶領域８ｂのいずれの記憶領域の顔画像データとも合致しない場合には、一般訪問者として識別し、呼び登録制御装置１０には制御信号を出力することなく、呼び登録機器４からの釦接点情報に基づきエレベータは通常通り運行する(ステップＳ９でＮｏへ)。
【００３３】
ここで顔画像記憶装置８は、上述のようにシステム制御装置７により顔画像データが保存されたり、読み出されたりする。そこで特定利用者顔画像記憶領域８ａ及び利用禁止者顔画像記憶領域８ｂの顔画像データに関しては、新たに抽出された顔画像データで保存されている顔画像データを更新し、全利用者顔画像記憶領域８ｃ予め設定された保存期間(期間長は自由に設定可能)が経過したら保存データを消去する機能を持たせることができる。そこで全利用者顔画像記憶領域８ｃ内に記憶される顔画像データには、記憶される際の日時情報を付加して記憶する。
【００３４】
図４にはシステム制御装置７における顔画像記憶装置８の管理制御に関する動作の一例を示す動作フローチャートである。(ａ)は全利用者顔画像記憶領域８ｃのための画像削除処理で、常時又は所定の周期で実行され、(ｂ)は特定利用者顔画像記憶領域８ａ及び利用禁止者顔画像記憶領域８ｂのための画像更新処理を示し、図２のステップＳ６〜Ｓ９と平行して実行される。
【００３５】
図４の(ａ)において、全利用者顔画像記憶領域８ｃ内の顔画像データの日時情報とシステム制御装置７の内蔵するタイマ機能の日時に基づき、所定保存期間を経過した顔画像データがあるか否かを判定し(ステップＳ１)、所定保存期間を経過した顔画像データは消去する(ステップＳ２)。
【００３６】
また図４の(ｂ)において、全利用者顔画像記憶領域８ｃ内に顔画像データが保存(記憶)されると(ステップＳ１)、これが特定利用者又は利用禁止者のものであれば(ステップＳ２)、特定利用者顔画像記憶領域８ａ又は利用禁止者顔画像記憶領域８ｂの該当する保存されている顔画像データをこの新しい顔画像データで更新(入れ替え)する。この際、顔画像データだけを更新し、特定利用者の顔画像データに付随する利用情報等はそのままとする(ステップＳ３)。これを新たに保存された顔画像データ全てについて行う(ステップＳ４)。
【００３７】
またアナウンス指令制御装置９は、上述のようにシステム制御装置７により出力されるアナウンス指令を入力するとともに、エレベータ制御盤５から出力される通常のアナウンス指令を入力する。そして、エレベータ制御盤５から出力されるアナウンス指令は一般的にエレベータ利用者に対して危険防止のためなどの重要なメッセージをアナウンスするための指令であるため、その指令を優先的にアナウンス装置３に出力する。
【００３８】
システム制御装置７から入力されるアナウンス指令は、エレベータ制御盤５からのアナウンス指令がない場合に限りアナウンス装置３に出力され、顔画像撮影のために利用者を誘導したり、利用禁止者に警告をするためのアナウンスを発報させる。ただし、そのアナウンス発報中等にエレベータ制御盤５からアナウンス指令が入力された場合には、例えば割り込み処理等により直ちにエレベータ制御盤５から入力されるアナウンス指令に基づくアナウンス発報に切り替える。
【００３９】
これにより、エレベータ制御盤５からの指令に基づくアナウンスを阻害することなくエレベータ利用者に対してこのセキュリティシステムのアナウンス発報をすることになる。
【００４０】
また、システム遠隔管理装置１１は、パーソナルコンピュータなどの操作部、表示部、記憶部、制御処理部、通信部等(共に図示省略)を備えたもので構成され、管理人室等、エレベータから離れた場所に設置される。システム遠隔管理装置１１とシステム制御装置７は、例えばＬＡＮなどのシリアル通信線で接続され、シリアル双方向通信を行う。保守会社等、エレベータのある建物外に設置される場合は、さらにＡＤＳＬや光ケーブル伝送などを介して接続される。なお、乗場呼び釦又はかご操作盤釦からなる呼び登録機器４と呼び登録制御装置１０の間もシリアル通信線で接続され、シリアル双方向通信を行う。
【００４１】
図２に続く図３の動作フローチャートに従ってシステム遠隔管理装置からの指令に基づくカメラ映像信号の送信や顔画像記憶装置に記憶されている顔画像データの編集に関する動作を説明する。システム遠隔管理装置１１からオペレータによる操作部の操作に従って映像要求指令が出力されると(ステップＳ１３)、システム制御装置７は映像入出力Ｉ／Ｆ６を介して得られるカメラ１で捕らえた映像信号をディジタル変調してシステム遠隔管理装置１１にリアルタイムで送信する(ステップＳ１４)。これによりシステム遠隔管理装置１１では操作部の操作により映像を表示部に表示してモニタすることができる。
【００４２】
また、オペレータによる操作に従ってシステム遠隔管理装置１１から顔画像要求指令が出力されると(ステップＳ１５)、システム制御装置７は顔画像記憶装置８の各記憶領域８ａ〜８ｃの顔画像データを全てシステム遠隔管理装置１１に送信する(ステップＳ１６)。なお、顔画像要求指令で顔画像要求する顔画像記憶装置８内の記憶領域を指定するようにしてもよく、この場合は指定領域の顔画像データを全てシステム遠隔管理装置１１に送信する。
【００４３】
その顔画像はシステム遠隔管理装置１１で操作部の操作に従って表示部に表示することができる。顔画像データはシステム遠隔管理装置１１の記憶部に一時的に保存され、操作部の操作に従ってその顔画像を１枚１枚選択しながら表示部に表示したり、表示部に一括表示したりすることができる。
【００４４】
また、システム遠隔管理装置１１において、システム制御装置７から送られた顔画像により、顔画像記憶装置８の特定利用者顔画像記憶領域８ａや利用禁止者顔画像記憶領域８ｂの顔画像データを更新したり、顔画像データを登録させたり登録解除をすることができる。
【００４５】
例えば特定利用者や利用禁止者の顔画像データを更新する場合は、システム遠隔管理装置１１からオペレータによる操作部の操作に従って、顔画像データに分類を示す分類情報(特定利用者の場合は利用情報である行先階情報を分類情報として使用可)、処理種別を示す編集種情報(更新、登録、登録解除等)を付加してなる顔画像編集データである顔画像更新データが出力される(ステップＳ１７)。システム制御装置７はこれを受け、顔画像更新データの分類情報、編集種情報から、分類種、編集種を確認して顔画像更新データを選定する(ステップＳ１８)。
【００４６】
そして例えば、送られてきた顔画像更新データが特定利用者へのデータの更新のためのものであれば(ステップＳ１９)、特定利用者顔画像記憶領域８ａの該顔画像データを送られてきた顔画像データで更新して保存する。旧データは消去される(ステップＳ２０)。また、送られてきた顔画像更新データが利用禁止者へのデータの更新のためのものであれば(ステップＳ２１)、利用禁止者顔画像記憶領域８ｂの該顔画像データを送られてきた顔画像データで更新して保存する。旧データは消去される(ステップＳ２２)。これを顔画像更新データがなくなるまで繰り返す(ステップＳ２３)。
【００４７】
なお、特にデータの更新や登録解除の場合に特定利用者顔画像記憶領域８ａ、利用禁止者顔画像記憶領域８ｂ内の該顔画像データを容易に検索するために、各顔画像データに例えばシリアルナンバ等の識別記号を付加しておいてもよい。
【００４８】
また、顔画像編集データが顔画像登録データや顔画像登録解除データであった場合にも、同様にして顔画像登録や顔画像登録解除が行われる。登録解除の場合は識別記号があれば顔画像データはなくてもよい。
【００４９】
また、登録されている同一人物を新たな顔画像に更新する場合、顔画像データのみ更新し、それに付随していた情報はそのままにしてもよい。
【００５０】
図５にはシステム遠隔管理装置１１から顔画像記憶装置８の特定利用者顔画像記憶領域８ａ及び利用禁止者顔画像記憶領域８ｂへ顔画像データを登録する場合の、システム遠隔管理装置１１での動作を示す動作フローチャートを示し、これに従って動作を説明する。但し図５の動作フローチャートにはオペレータの判断も含まれる。
【００５１】
システム遠隔管理装置１１のオペレータがカメラ１の撮影映像を表示部でモニタしようとして(ステップＳ１)、所定の操作を操作部に行うとシステム制御装置７に映像要求指令が出力され(ステップＳ２)、これに応答してシステム制御装置７から映像信号が送られてくると、これを入力して表示部に表示する(ステップＳ３)。
【００５２】
映像を表示部でモニタ後、顔画像記憶装置８に特定利用者又は利用禁止者として顔画像データを登録すべき利用者があった時には(ステップＳ４)、カメラ１で撮影し抽出した顔画像を使用する場合には(ステップＳ５)、所定の操作を操作部に行うとシステム制御装置７に顔画像要求指令が出力され(ステップＳ６)、これに応答してシステム制御装置７から顔画像記憶装置８の全利用者顔画像記憶領域８ｃの全ての顔画像データが送られてくるので、これを入力して表示部に表示する、または一時、記憶部に格納して順に表示する(ステップＳ７)。また、メディアに保存された顔画像や、システム遠隔管理装置１１がネット接続されている場合には、ネット上に配信される顔画像を入力して表示部に表示する(ステップＳ８)。
【００５３】
特定利用者登録する場合には(ステップＳ９)、登録すべき顔画像データに分類を示す分類情報(特定利用者の場合は例えば利用情報である行先階情報)、処理種別を示す編集種情報(この場合登録)、さらには識別記号等を付加してなる顔画像編集データである顔画像登録データをシステム制御装置７に出力して登録し指示する(ステップＳ１０)。
【００５４】
また利用禁止者登録する場合には(ステップＳ１１)、登録すべき顔画像データに分類を示す分類情報(利用禁止者を示す)、処理種別を示す編集種情報(この場合登録)、さらには識別記号等を付加してなる顔画像編集データである顔画像登録データをシステム制御装置７に出力して登録し指示する(ステップＳ１２)。
【００５５】
これによりシステム制御装置７は顔画像登録データに従って登録処理を行う。
【００５６】
以上のようにこの発明では、登録保存している顔画像から人物を識別、特定し、その人物の分類により、呼び登録を制御して、乗客の利便性向上と防犯効果を両立させたセキュリティシステムを提供できる。
【００５７】
また、利用者に付与された情報に基づき、利用が許可された利用者、利用が禁止された利用者、その他の利用者に分類、識別し、識別に基づき、呼びの登録可否制御、識別された利用者のエレベータの利用情報に対応した自動登録制御を行うことにより、乗客の利便性向上を更に達成しながら防犯効果の高いセキュリティシステムを提供できる。
【００５８】
また、抽出した顔画像を遠隔操作で選択し、新規登録、更新、登録解除すべき特定利用者や利用禁止者の顔画像を顔画像記憶装置に保存や削除することにより、利用者に意識させることなく直ちに顔画像を更新や削除でき、乗客の利便性と防犯精度を改善した即応性の高いセキュリティシステムを提供できる。
【００５９】
また、カメラで撮影した映像から顔画像が利用禁止者と識別した場合は、エレベータ制御盤からのアナウンス指令にもとづいて発報されるエレベータナウンスを阻害することなく、警告アナウンスを発報するようにしたので、防犯効果がより向上する。
【００６０】
また、エレベータ利用情報により、乗場呼びやかご内の行先階呼びを自動登録することで、特定利用者にとってより便利なものとなる。
【００６１】
また、抽出された顔画像は全て顔画像記憶装置に記億し、特定利用者と利用禁止者に分類された顔画像は保存されている顔画像と入れ替え、それ以外の顔画像データは所定期間経過したら消去することにより、抽出した顔画像データを一般の防犯カメラデータのように活用でき、また保存している顔画像は新しい顔画像に更新され、記憶容量を節減できる。
【図面の簡単な説明】
【００６２】
【図１】この発明の一実施の形態によるエレベータセキュリティシステムの構成を示すブロック図である。
【図２】この発明の一実施の形態によるエレベータセキュリティシステムの主に自動呼び制御及び警報アナウンス発報に関する動作の一例を示す動作フローチャートである。
【図３】図２に続くシステム遠隔管理装置からの指令に基づくカメラ映像信号の送信や顔画像記憶装置に記憶されている顔画像データの編集に関する動作の一例を示す動作フローチャートである。
【図４】この発明の一実施の形態によるエレベータセキュリティシステムのシステム制御装置における顔画像記憶装置の管理制御に関する動作の一例を示す動作フローチャートである。
【図５】この発明の一実施の形態によるエレベータセキュリティシステムのシステム遠隔管理装置から顔画像記憶装置の特定利用者顔画像記憶領域及び利用禁止者顔画像記憶領域へ顔画像データを登録する場合のシステム遠隔管理装置での動作を示す動作フローチャートである。
【符号の説明】
【００６３】
１  カメラ、２  モニタ、３  アナウンス装置、４  呼び登録機器、５  エレベータ制御盤、６  映像入出力Ｉ／Ｆ、７  システム制御装置、８  顔画像記憶装置、８ａ  特定利用者顔画像記憶領域、８ｂ  利用禁止者顔画像記憶領域、８ｃ  全利用者顔画像記憶領域、９  アナウンス指令制御装置、１０  呼び登録制御装置、１１  システム遠隔管理装置。
【図１】
2008127158.tif 000003
【図２】
2008127158.tif 000004
【図３】
2008127158.tif 000005
【図４】
2008127158.tif 000006
【図５】
2008127158.tif 000007